【手続補正書】
【提出日】平成23年10月13日(2011.10.13)
【手続補正１】
【補正対象書類名】特許請求の範囲
【補正対象項目名】全文
【補正方法】変更
【補正の内容】
【特許請求の範囲】
【請求項１】
仮想領域を共用するネットワークノード間でリアルタイム・データ・ストリーム接続を切り換える方法であって、
前記仮想領域（２８）内の個々の位置と関連付けられている前記ネットワークノード（５２、５４、５６、６４、４０４）の所与の１つが、前記仮想領域（２８）内の個々の位置と関連付けられている前記ネットワークノード（５２、５４、５６、６４、４０４）の他の１つまたは複数との通信セッションに参加することを可能にするリアルタイム・データ・ストリームのセットを確認するステップと、
前記所与のネットワークノードに前記リアルタイム・データ・ストリームのセットを配信する１つまたは複数のリアルタイム・データ・ストリーム接続を前記所与のネットワークノードの帯域幅能力に少なくとも部分的に基づいて決定するステップと、
前記所与のネットワークノードと、前記ネットワークノードの他の１つまたは複数との間で、該決定された１つまたは複数のリアルタイム・データ・ストリーム接続を確立するステップと、
を含む、方法。
【請求項２】
前記決定するステップは、
前記リアルタイム・データ・ストリームのそれぞれを受け取るための個々の形式を決定することであって、該決定されるリアルタイム・データ・ストリームはそれぞれ、非混合リアルタイム・データ・ストリーム形式、または前記他のネットワークノードのそれぞれから送信されるリアルタイム・データ・ストリームの組み合わせから得られる混合リアルタイム・データ・ストリーム形式のものである、形式を決定することと、
前記リアルタイムストリームのそれぞれを受け取るためのネットワーク経路を決定することであって、該決定されるネットワーク経路は、直接ピア・ツー・ピア・ネットワーク経路、または前記他のネットワークノードの１つまたは複数によって仲介されるネットワーク経路である、ネットワーク経路を決定することと、
を含む、請求項１に記載の方法。
【請求項３】
前記決定するステップは、前記他のネットワークノードの１つまたは複数における前記帯域幅能力を見出すこと、および該見出された帯域幅能力に基づいて前記１つまたは複数のリアルタイム・データ・ストリーム接続を選択することを含み、前記確立するステップは、該選択された１つまたは複数のリアルタイム・データ・ストリーム接続を確立することを含む、請求項１または２に記載の方法。
【請求項４】
確立された前記１つまたは複数のリアルタイム・データ・ストリーム接続を介してリアルタイム・データ・ストリームを切り換えるステップをさらに含み、該切り換えるステップは、中央ネットワークノード（６４、４０４）を介して第１のセット内の前記ネットワークノード（５２、５４、５６）のそれぞれの間でリアルタイム・データ・ストリームを切り換えること、および第２のセット内の前記ネットワークノード（５２、５４、５６）のそれぞれの間で、直接ピア・ツー・ピア・ネットワーク接続を介してリアルタイム・データ・ストリームを切り換えることを含む、請求項１乃至３のいずれか一項に記載の方法。
【請求項５】
前記決定するステップは、前記所与のネットワークノードに前記リアルタイム・データ・ストリームのセットを配信し且つ前記所与のネットワークノードへの非混合リアルタイム・データ・ストリームの配信を最大にする前記１つまたは複数のリアルタイム・データ・ストリーム接続を決定することを含み、非混合リアルタイム・データ・ストリームの配信を最大にする前記決定された１つまたは複数のリアルタイム・データ・ストリーム接続は、確立された前記１つまたは複数のリアルタイム・データ・ストリーム接続である、請求項１乃至４のいずれか一項に記載の方法。
【請求項６】
請求項１乃至５のいずれか一項に記載の方法を実行する装置。
【請求項７】
コンピュータに請求項１乃至６のいずれか一項に記載の方法を実行させるよう動作可能なコンピュータ可読命令を記憶するコンピュータ可読媒体。
【請求項８】
仮想領域を共用するネットワークノード間でリアルタイム・データ・ストリーム接続を切り換える方法であって、
前記ネットワークノード（５２、５４、５６、６４、４０４）の１つまたは複数の受信側ネットワークノードのそれぞれについて、複数のリアルタイム・データ・ストリームの個々の送信セットを送信するための、それぞれが個々のリンク帯域幅を有する個々のリンクを決定するステップと、
前記各リンクごとに、前記個々のリンク帯域幅を、前記個々の送信セット内の前記複数のリアルタイム・データ・ストリームに個々に割り振られた複数のチャネル間で配分し、前記個々に割り振られたチャネルを介して前記個々の受信側ネットワークノードに前記個々の送信セット内の前記複数のリアルタイム・データ・ストリームを送信するステップと、
を含む、方法。
【請求項９】
前記決定するステップは、前記各リンクごとに、前記個々の送信セット内の前記複数のリアルタイム・データ・ストリームのそれぞれについて、複数の個々の帯域幅レベルを確認すること、および該確認された帯域幅レベルに基づいて前記リンクに前記個々のリンク帯域幅を割り振ることを含み、
前記各リンクに対し、前記確認することは、前記個々の送信セット内のリアルタイム・データ・ストリームのそれぞれについて、個々の最小帯域幅レベルを識別すること、および該識別された個々の最小帯域幅レベルから個々の最小リンク帯域幅レベルを計算することを含み、
前記リンクが利用可能な帯域幅が前記個々の最小リンク帯域幅レベルに適応することができないという判定に応答して、前記リンクのいずれかを削除するステップ、
をさらに含む、請求項８に記載の方法。
【請求項１０】
前記決定するステップは、前記各リンクに対し、前記個々の送信セット内の前記複数のリアルタイム・データ・ストリームのそれぞれについて、複数の個々の帯域幅レベルを確認すること、および該確認された帯域幅レベルに基づいて、前記リンクに前記個々のリンク帯域幅を割り振ることを含み、
前記各リンクに対し、前記確認することは、
前記個々の送信セット内の１つまたは複数の前記リアルタイム・データ・ストリームのそれぞれについて、個々の第１の好ましい帯域幅レベルから個々の第２の好ましい帯域幅レベルまで順序付けされた個々の優先階層における少なくとも２つの個々の帯域幅レベルを識別することと、
該識別された第１の好ましい帯域幅レベルに少なくとも部分的に基づいて個々の目標リンク帯域幅レベルを計算し、前記識別された第２の好ましい帯域幅レベルに少なくとも部分的に基づいて個々のフォールバックリンク帯域幅レベルを計算することと、
を含む、請求項８または９に記載の方法。
【請求項１１】
前記決定するステップは、前記受信側ネットワークノード（５２、５４、５６、６４、４０４）のそれぞれについて、
前記受信側ネットワークノードまでの前記個々のリンクを前記目標リンク帯域幅レベルで確立しようと試すことと、
前記受信側ネットワークノードまでの前記個々のリンクを前記目標リンク帯域幅レベルで確立するのに失敗したことに応答して、前記受信側ネットワークノードまでの前記個々のリンクを前記フォールバックリンク帯域幅レベルで確立しようと試みることと、
を含む、請求項１０に記載の方法。
【請求項１２】
前記決定するステップは、前記受信側ネットワークノード（５２、５４、５６、６４、４０４）のそれぞれについて、
前記受信側ネットワークノードまでの前記個々のリンクを個々の候補リンク帯域幅レベルで確立しようと試すことと、
前記受信側ネットワークノードまでの前記個々のリンクを前記個々の候補リンク帯域幅レベルで確立するのに失敗したことに応答して、前記送信データセット内の少なくとも１つの任意選択のリアルタイム・データ・ストリームを削除することと、
を含む、請求項８乃至１１のいずれか一項に記載の方法。
【請求項１３】
前記決定するステップは、前記受信側ネットワークノード（５２、５４、５６、６４、４０４）のそれぞれについて、
前記受信側ネットワークノードまでの前記個々のリンクを個々の候補リンク帯域幅レベルで確立しようと試すことと、
前記受信側ネットワークノードまでの前記個々のリンクを個々の候補リンク帯域幅レベルで確立するのに失敗したことに応答して、前記個々の送信セット内の前記１つまたは複数のリアルタイム・データ・ストリームを、前記他のネットワークノードの１つまたは複数によって仲介されるネットワーク経路を介して前記受信側ネットワークノードに送信するためのリンクを確立することと、
を含む、請求項８乃至１２のいずれか一項に記載の方法。
【請求項１４】
前記決定するステップは、前記受信側ネットワークノード（５２、５４、５６、６４、４０４）のそれぞれについて、
前記受信側ネットワークノードまでの前記個々のリンクを個々の候補リンク帯域幅レベルで確立しようと試すことと、
前記受信側ネットワークノードまでの前記個々のリンクを前記個々の候補リンク帯域幅レベルで確立するのに失敗したことに応答して、前記個々の送信セット内の前記リアルタイム・データ・ストリームの１つまたは複数を、前記ネットワークノードの他のそれぞれから送信されるリアルタイム・データ・ストリームの組み合わせから得られる１つまたは複数の混合リアルタイム・データ・ストリームとして前記受信側ネットワークノードに配信するためのリンクを確立することと、
を含む、請求項８乃至１３のいずれか一項に記載の方法。
【請求項１５】
前記決定するステップは、前記各リンクごとに、前記個々の受信側ネットワークノードと関連付けられた属性に基づいて決定された量において前記個々のリンク帯域幅を前記個々の送信セット内の前記複数のリアルタイム・データ・ストリームに割り振ることを含む、請求項８乃至１４のいずれか一項に記載の方法。
【請求項１６】
前記各リンクごとに、前記個々の送信セット内の前記複数のリアルタイム・データ・ストリームに個々に割り振られた前記複数のチャネル間で前記個々のリンク帯域幅を配分することは、前記個々の送信セット内の前記１つまたは複数のリアルタイム・データ・ストリームと個々に関連付けられた１つまたは複数のストリーム優先度レベルに基づくものである、請求項８乃至１５のいずれか一項に記載の方法。
【請求項１７】
請求項８乃至１６のいずれか一項に記載の方法を実行する装置。
【請求項１８】
コンピュータに請求項８乃至１６のいずれか一項に記載の方法を実行させるよう動作可能なコンピュータ可読命令を記憶するコンピュータ可読媒体（１２４、１２８、４０５）。